(57)【要約】【課題】メインコンテンツがヘッドマウントディスプレイと別体に表示される場合であっても、メインコンテンツとサブコンテンツとが同時に視認可能な画像提示システム及びこの画像提示システムに用いられるヘッドマウントディスプレイを提供すること。【解決手段】メインコンテンツ表示手段に対する、ヘッドマウントディスプレイの相対位置に基づいて、画像提示手段を透過してユーザに視認されるメインコンテンツ表示手段に隣接する位置が、サブコンテンツの提示位置として決定される。従って、メインコンテンツがヘッドマウントディスプレイと別体に表示される場合であっても、サブコンテンツをメインコンテンツ表示手段の近傍且つ互いに重ならない位置に提示することができ、メインコンテンツとサブコンテンツとが同時に視認可能になる。【選択図】        図６
2010237522.tif 000002
【特許請求の範囲】
【請求項１】
外光を透過しつつ、表示情報に応じた画像光をユーザの眼に投射して前記画像光に応じた画像をユーザに提示する画像提示手段を有するシースルー型のヘッドマウントディスプレイを備えた画像提示システムにおいて、
前記ヘッドマウントディスプレイと別体に構成され、メインコンテンツを実像として表示するメインコンテンツ表示手段と、
メインコンテンツに関連付けられ、前記画像提示手段を介してユーザに提示されるサブコンテンツを取得するサブコンテンツ取得手段と、
前記メインコンテンツ表示手段に対する、前記ヘッドマウントディスプレイの相対位置を取得する位置取得手段と、
前記相対位置に基づいて、前記画像提示手段による画像提示が可能な提示領域の中で、前記画像提示手段を透過して前記ユーザに視認される前記メインコンテンツ表示手段による前記実像を避けるように、前記メインコンテンツ表示手段による前記実像の近傍を、サブコンテンツの提示位置として決定するサブコンテンツ位置決定手段と、
前記サブコンテンツ取得手段によって取得されたサブコンテンツを、前記サブコンテンツの提示位置に提示させるように、前記画像提示手段を制御する画像提示制御手段と、
を備えることを特徴とする画像提示システム。
【請求項２】
前記メインコンテンツ表示手段は、メインコンツの実像が表示される、縦方向よりも横方向に長い横長表示部を有し、
前記サブコンテンツ位置決定手段は、前記横長表示部の上下の近傍を、前記サブコンテンツの提示位置として決定する、
ことを特徴とする請求項１に記載の画像提示システム。
【請求項３】
前記相対位置に基づいて、前記画像提示手段を透過して前記ユーザに視認される前記メインコンテンツ表示手段の見た目のサイズを決定するメインコンテンツサイズ決定手段をさらに備え、
前記画像提示制御手段はさらに、前記サブコンテンツの提示位置及び前記メインコンテンツ表示手段の見た目のサイズに応じて、前記サブコンテンツの提示される画角を決定する、
ことを特徴とする請求項１又は２に記載の画像提示システム。
【請求項４】
前記位置取得手段は、
前記ヘッドマウントディスプレイと別体に設けられ、前記相対位置を特定するための情報を記憶し、信号の送受信を行うためのアンテナを含む位置特定無線タグと、
前記ヘッドマウントディスプレイに設けられ、前記位置特定無線タグとの間で情報の送受信を行う無線タグ読取装置と、
を有することを特徴とする請求項１〜３の何れか１項に記載の画像提示システム。
【請求項５】
前記位置取得手段は、
前記ヘッドマウントディスプレイに設けられ、前記メインコンテンツ表示手段を撮像することで撮像画像を生成する撮像手段と、
前記撮像画像に基づいて、前記相対位置を決定する画像処理手段と、
を有することを特徴とする請求項１〜３の何れか１項に記載の画像提示システム。
【請求項６】
請求項１〜５の何れか１項に記載の画像提示システムに用いられるシースルー型のヘッドマウントディスプレイであって、
外光を透過しつつ、表示情報に応じた画像光をユーザの眼に投射して前記画像光に応じた画像をユーザに提示する画像提示手段と、
表示されたメインコンテンツに対する相対位置を取得する位置取得手段と、
メインコンテンツに関連付けられ、前記画像提示手段を介してユーザに提示されるサブコンテンツを取得するサブコンテンツ取得手段と、
前記相対位置に基づいて、前記画像提示手段による画像提示が可能な提示領域の中で、前記画像提示手段を透過して前記ユーザに視認される前記表示されたメインコンテンツを避けるように、前記ユーザに視認される前記表示されたメインコンテンツの近傍を、前記サブコンテンツの提示位置として決定するサブコンテンツ位置決定手段と、
前記サブコンテンツ取得手段によって取得されたサブコンテンツを、前記サブコンテンツの提示位置に提示させように、前記画像提示手段を制御する画像提示制御手段と、
を備えることを特徴とするヘッドマウントディスプレイ。
【請求項７】
前記表示されたメインコンテンツが縦方向よりも横方向に長い場合、前記サブコンテンツ位置決定手段はさらに、前記表示されたメインコンテンツの上下の近傍を、前記サブコンテンツの提示位置として決定する、
ことを特徴とする請求項６に記載のヘッドマウントディスプレイ。
【請求項８】
前記相対位置に基づいて、前記画像提示手段を透過して前記ユーザに視認される前記表示されたメインコンテンツの見た目のサイズを決定するメインコンテンツサイズ決定手段をさらに備え、
前記画像提示制御手段はさらに、前記サブコンテンツの提示位置及び前記表示されたメインコンテンツの見た目のサイズに応じて、前記サブコンテンツの提示される画角を調整する、
ことを特徴とする請求項６又は７に記載のヘッドマウントディスプレイ。
【請求項９】
前記位置取得手段は、
前記相対位置を特定するための情報を記憶するとともに信号の送受信を行うためのアンテナを含む位置特定無線タグとの間で情報の送受信を行う無線タグ読取装置、
を有することを特徴とする請求項６〜８の何れか１項に記載のヘッドマウントディスプレイ。
【請求項１０】
前記位置取得手段は、
前記表示されたメインコンテンツを撮像することで撮像画像を生成する撮像手段と、
前記撮像画像に基づいて、前記相対位置を決定する画像処理手段と、
を有することを特徴とする請求項６〜８の何れか１項に記載のヘッドマウントディスプレイ。
【発明の詳細な説明】
【技術分野】
【０００１】
本発明は、画像提示システム及びこの画像提示システムに用いられるヘッドマウントディスプレイに関する。
【背景技術】
【０００２】
従来から、映画館等において、スクリーン等の大型の表示手段を複数人で視聴することが行われている。大型の表示手段には、映画等のメインコンテンツが表示される。そして、メインコンテンツの周囲（例えば下側）には、しばしばメインコンテンツを補助する目的で、字幕等のサブコンテンツが一体に表示されることがある。
【０００３】
メインコンテンツを複数人で視聴する場合、例えば字幕なしで映画を楽しみたい等、人によってはサブコンテンツが不要になる場合がある。また、例えば母国語の異なる人達が同じメインコンテンツを視聴する場合等、個人に応じて異なるサブコンテンツの提供が望まれる場合がある。即ち、サブコンテンツは、メインコンテンツと一体に表示されるのではなく、個人に応じた様態で表示されるのが望ましい。
【０００４】
特許文献１では、使用者の頭部に装着されるヘッドマウントディスプレイと、その使用者の身体に装着される制御装置とを備える携帯型表示システムが開示される。この携帯型表示システムは、動画のセリフの吹き替えや吹き込みの際に用いられ、複数人で共通に視聴するメインコンテンツとしての動画に対して、サブコンテンツとしてのセリフがヘッドマウントディスプレイに表示される。この携帯型表示システムによって、動画の内容に応じた必要なセリフが、動画と同時に視認可能にヘッドマウントディスプレイに表示される。
【先行技術文献】
【特許文献】
【０００５】
【特許文献１】特開２００２−３５１３８５号公報
【発明の概要】
【発明が解決しようとする課題】
【０００６】
メインコンテンツとサブコンテンツとを同時に視認するためには、サブコンテンツがメインコンテンツの近傍に表示され、且つ互いに重ならないのが理想的である。特許文献１に記載の携帯型表示システムでは、メインコンテンツとサブコンテンツとの両方がヘッドマウントディスプレイに一体に表示される場合であれば、サブコンテンツとメインコンテンツとの表示位置を調整することで、サブコンテンツをメインコンテンツの近傍且つ互いに重ならない位置に表示することができる。しかし、メインコンテンツがサブコンテンツとは別体に表示される場合、即ち映画館等の様にメインコンテンツが外部のスクリーン等に表示される場合、特許文献１に記載の携帯型表示システムでは、サブコンテンツとメインコンテンツとの表示位置を個人に合わせて調整することができない。その結果、例えばメインコンテンツの表示位置とヘッドマウントディスプレイとの相対位置によっては、メインコンテンツとサブコンテンツとが重なる、あるいはメインコンテンツとサブコンテンツとの間隔が大きく開いてしまい、同時に視認することが困難となる可能性がある。
【０００７】
本発明は、メインコンテンツがヘッドマウントディスプレイと別体に表示される場合であっても、メインコンテンツとサブコンテンツとが同時に視認可能な画像提示システム及びこの画像提示システムに用いられるヘッドマウントディスプレイを提供することを目的とする。
【課題を解決するための手段】
【０００８】
この目的を達成するために、請求項１に記載の発明は、外光を透過しつつ、表示情報に応じた画像光をユーザの眼に投射して前記画像光に応じた画像をユーザに提示する画像提示手段を有するシースルー型のヘッドマウントディスプレイを備えた画像提示システムにおいて、前記ヘッドマウントディスプレイと別体に構成され、メインコンテンツを実像として表示するメインコンテンツ表示手段と、メインコンテンツに関連付けられ、前記画像提示手段を介してユーザに提示されるサブコンテンツを取得するサブコンテンツ取得手段と、前記メインコンテンツ表示手段に対する、前記ヘッドマウントディスプレイの相対位置を取得する位置取得手段と、前記相対位置に基づいて、前記画像提示手段による画像提示が可能な提示領域の中で、前記画像提示手段を透過して前記ユーザに視認される前記メインコンテンツ表示手段による実像を避けるように、前記メインコンテンツ表示手段による前記実像の近傍を、サブコンテンツの提示位置として決定するサブコンテンツ位置決定手段と、前記サブコンテンツ取得手段によって取得されたサブコンテンツを、前記サブコンテンツの提示位置に提示させるように、前記画像提示手段を制御する画像提示制御手段と、を備えることを特徴とする。
【０００９】
請求項２に記載の発明は、請求項１に記載の発明において、前記メインコンテンツ表示手段は、メインコンツの実像が表示される、縦方向よりも横方向に長い横長表示部を有し、前記サブコンテンツ位置決定手段は、前記横長表示部の上下の近傍を、前記サブコンテンツの提示位置として決定する、ことを特徴とする。
【００１０】
請求項３に記載の発明は、請求項１又は２に記載の発明において、前記相対位置に基づいて、前記画像提示手段を透過して前記ユーザに視認される前記メインコンテンツ表示手段の見た目のサイズを決定するメインコンテンツサイズ決定手段をさらに備え、前記画像提示制御手段はさらに、前記サブコンテンツの提示位置及び前記メインコンテンツ表示手段の見た目のサイズに応じて、前記サブコンテンツの提示される画角を決定する、ことを特徴とする。
【００１１】
請求項４に記載の発明は、請求項１〜３の何れか１項に記載の発明において、前記位置取得手段は、前記ヘッドマウントディスプレイと別体に設けられ、前記相対位置を特定するための情報を記憶し、信号の送受信を行うためのアンテナを含む位置特定無線タグと、前記ヘッドマウントディスプレイに設けられ、前記位置特定無線タグとの間で情報の送受信を行う無線タグ読取装置と、を有することを特徴とする。
【００１２】
請求項５に記載の発明は、請求項１〜３の何れか１項に記載の発明において、前記位置取得手段は、前記ヘッドマウントディスプレイに設けられ、前記メインコンテンツ表示手段を撮像することで撮像画像を生成する撮像手段と、前記撮像画像に基づいて、前記相対位置を決定する画像処理手段と、を有することを特徴とする。
【００１３】
請求項６に記載の発明は、請求項１〜５の何れか１項に記載の画像提示システムに用いられるシースルー型のヘッドマウントディスプレイであって、外光を透過しつつ、表示情報に応じた画像光をユーザの眼に投射して前記画像光に応じた画像をユーザに提示する画像提示手段と、表示されたメインコンテンツに対する相対位置を取得する位置取得手段と、メインコンテンツに関連付けられ、前記画像提示手段を介してユーザに提示されるサブコンテンツを取得するサブコンテンツ取得手段と、前記相対位置に基づいて、前記画像提示手段による画像提示が可能な提示領域の中で、前記画像提示手段を透過して前記ユーザに視認される前記表示されたメインコンテンツを避けるように、前記ユーザに視認される前記表示されたメインコンテンツの近傍を、前記サブコンテンツの提示位置として決定するサブコンテンツ位置決定手段と、前記サブコンテンツ取得手段によって取得されたサブコンテンツを、前記サブコンテンツの提示位置に提示させように、前記画像提示手段を制御する画像提示制御手段と、を備えることを特徴とする。
【００１４】
請求項７に記載の発明は、請求項６に記載の発明において、前記表示されたメインコンテンツが縦方向よりも横方向に長い場合、前記サブコンテンツ位置決定手段はさらに、前記表示されたメインコンテンツの上下の近傍を、前記サブコンテンツの提示位置として決定する、ことを特徴とする。
【００１５】
請求項８に記載の発明は、請求項６又は７に記載の発明において、前記相対位置に基づいて、前記画像提示手段を透過して前記ユーザに視認される前記表示されたメインコンテンツの見た目のサイズを決定するメインコンテンツサイズ決定手段をさらに備え、前記画像提示制御手段はさらに、前記サブコンテンツの提示位置及び前記表示されたメインコンテンツの見た目のサイズに応じて、前記サブコンテンツの提示される画角を調整する、ことを特徴とする。
【００１６】
請求項９に記載の発明は、請求項６〜８の何れか１項に記載の発明において、前記位置取得手段は、前記相対位置を特定するための情報を記憶するとともに信号の送受信を行うためのアンテナを含む位置特定無線タグとの間で情報の送受信を行う無線タグ読取装置、を有することを特徴とする。
【００１７】
請求項１０に記載の発明は、請求項６〜８の何れか１項に記載の発明において、前記位置取得手段は、前記表示されたメインコンテンツを撮像することで撮像画像を生成する撮像手段と、前記撮像画像に基づいて、前記相対位置を決定する画像処理手段と、
を有することを特徴とする。
【発明の効果】
【００１８】
請求項１に記載の発明では、メインコンテンツ表示手段に対する、ヘッドマウントディスプレイの相対位置に基づいて、画像提示手段を透過してユーザに視認されるメインコンテンツ表示手段による実像を避けるように、メインコンテンツ表示手段による実像の近傍が、サブコンテンツの提示位置として決定される。従って、メインコンテンツが、ヘッドマウントディスプレイと別体に構成されるメインコンテンツ表示手段に表示される場合であっても、サブコンテンツをメインコンテンツ表示手段による実像の近傍に提示することによって、メインコンテンツとサブコンテンツとが互いに重なることなく同時に視認可能になる。
【００１９】
請求項２に記載の発明では、メインコンツの実像が縦方向よりも横方向に長い横長表示部に表示される。そして、横長表示部の上下の近傍が、サブコンテンツの提示位置として決定される。メインコンテンツが横長に表示される場合、仮に横長表示部の左右の近傍にサブコンテンツが提示されると、ユーザが視認する対象が左右方向に拡がりすぎ、サブコンテンツがユーザの視野に入りきらない可能性がある。そこで、サブコンテンツが横長表示部の上下の近傍に表示されることで、より確実にメインコンテンツとサブコンテンツとが同時に視認可能になる。
【００２０】
仮にサブコンテンツの提示される画角が一定の場合、ヘッドマウントディスプレイとメインコンテンツ表示手段との距離が近すぎると、サブコンテンツはメインコンテンツに対して小さ過ぎるように視認される可能性がある。逆に、ヘッドマウントディスプレイとメインコンテンツ表示手段との距離が遠すぎると、サブコンテンツがメインコンテンツよりも大きく視認される可能性がある。請求項３に記載の発明では、サブコンテンツの提示位置及びメインコンテンツ表示手段の見た目のサイズに応じて、サブコンテンツの提示される画角が調整される。従って、より確実にメインコンテンツとサブコンテンツとが同時に視認可能になる。
【００２１】
請求項４に記載の発明では、ヘッドマウントディスプレイに設けられる無線タグ読取装置が、ヘッドマウントディスプレイと別体に設けられた位置特定無線タグを読み取ることで、メインコンテンツ表示手段に対する、ヘッドマウントディスプレイの相対位置が取得される。従って、相対位置を特定する情報を記憶する位置特定無線タグを読み取るだけで、容易に相対位置を取得することができる。
【００２２】
請求項５に記載の発明では、ヘッドマウントディスプレイに設けられる撮像手段が、メインコンテンツ表示手段を撮像する。そして、その撮像によって生じた撮像画像を画像処理することで、相対位置が決定される。従って、相対位置を取得するために、ヘッドマウントディスプレイと別体の特別な構成が不要になる。
【００２３】
請求項６に記載の発明では、表示されたメインコンテンツに対する相対位置に基づいて、画像提示手段を透過してユーザに視認される表示されたメインコンテンツを避けるように、前記ユーザに視認される表示されたメインコンテンツの近傍が、サブコンテンツの提示位置として決定される。従って、メインコンテンツがヘッドマウントディスプレイと別体に表示される場合であっても、サブコンテンツをメインコンテンツの近傍且つ互いに重ならない位置に表示することができ、メインコンテンツとサブコンテンツとが同時に視認可能になる。
【００２４】
請求項７に記載の発明では、表示されたメインコンテンツが縦方向よりも横方向に長い場合、表示されたメインコンテンツの上下の近傍が、サブコンテンツの提示位置として決定される。メインコンテンツが横長に表示される場合、仮にメインコンテンツの左右の近傍にサブコンテンツが提示されると、ユーザが視認する対象が左右方向に拡がりすぎ、サブコンテンツがユーザの視野に入りきらない可能性がある。そこで、サブコンテンツが表示されたメインコンテンツの上下の近傍に提示されることで、より確実にメインコンテンツとサブコンテンツとが同時に視認可能になる。
【００２５】
仮にサブコンテンツの提示される画角が一定の場合、ヘッドマウントディスプレイと表示されたメインコンテンツとの距離が近すぎると、サブコンテンツはメインコンテンツに対して小さ過ぎるように視認される可能性がある。逆に、ヘッドマウントディスプレイと表示されたメインコンテンツとの距離が遠すぎると、サブコンテンツがメインコンテンツよりも大きく視認される可能性がある。請求項８に記載の発明では、サブコンテンツの提示位置及び表示されたメインコンテンツの見た目のサイズに応じて、サブコンテンツの提示される画角が調整される。従って、より確実にメインコンテンツとサブコンテンツとが同時に視認可能になる。
【００２６】
請求項９に記載の発明では、無線タグ読取装置によって位置特定無線タグを読み取ることで、表示されたメインコンテンツに対する相対位置が取得される。従って、位置特定無線タグに記憶された相対位置を特定する情報を読み取るだけで、容易に相対位置を取得することができる。
【００２７】
請求項１０に記載の発明では、ヘッドマウントディスプレイに設けられる撮像手段が、表示されたメインコンテンツを撮像する。そして、その撮像によって生じた撮像画像を画像処理することで、相対位置が決定される。従って、ヘッドマウントディスプレイと別体の特別な構成を必要とせず、ヘッドマウントディスプレイ単体での相対位置の取得が可能となる。
【図面の簡単な説明】
【００２８】
【図１】第１の実施形態に係る、画像提示システム１を実際に使用した状態を示した説明図。
【図２】第１の実施形態に係る、ユーザＵＳＲがＨＭＤ１０を装着した状態を図。
【図３】第１の実施形態に係る、頭部装着部１００の構成を示す図。
【図４】第１の実施形態に係る、画像提示システム１の構成を示す機能ブロック図。
【図５】第１の実施形態に係る、ＲＡＭ２０６及び位置特定無線タグＴＧに記憶される情報を示す図。
【図６】第１の実施形態に係る、制御ボックス２００によって実行される処理のフローチャート。
【図７】第１の実施形態に係る、サブコンテンツ提示処理を説明するフローチャート。
【図８】第１の実施形態に係る、字幕ＳＣの提示される座標を決定する方法を説明する図。
【図９】第２の実施形態に係る、画像提示システム２の構成を示す機能ブロック図。
【発明を実施するための最良の形態】
【００２９】
本発明は、外光を透過しつつ、表示情報に応じた画像光をユーザの眼に投射して当該ユーザに前記画像光に応じた画像を視認させるシースルー型のヘッドマウントディスプレイ（以下、ＨＭＤともいう）を備えた画像提示システムに関する。特に、本実施形態に係る画像提示システムは、映画等のメインコンテンツに関連付けられた字幕等のサブコンテンツを、ユーザが装着しているＨＭＤを介してユーザに提示する。このサブコンテンツは、映画スクリーン等のメインコンテンツ表示手段に対するＨＭＤの相対位置に基づいて、ＨＭＤを透過してユーザに視認されるメインコンテンツ表示手段による実像を避けるように、メインコンテンツ表示手段による実像の近傍に提示される。従って、ユーザは、サブコンテンツを、メインコンテンツの近傍且つ互いに重ならないようにして、メインコンテンツと同時に視認することができる。
【００３０】
以下、本実施形態に係る画像提示システムについて、図面を参照しながら説明する。
【００３１】
＜第１の実施形態＞
［全体の概要］
まず、図１を用いて画像提示システム１の概要について説明する。図１は、画像提示システム１を実際に使用した状態を示した説明図である。図１において、メインコンテンツとしての映画が、非図示のプロジェクタ等から、メインコンテンツ表示手段としてのスクリーンＭＣに投影される。スクリーンＭＣは、上下方向（縦方向）よりも左右方向（横方向）に長い。座席ＳＴに着座しているユーザＵＳＲ（図１では複数示される）は、シースルー型のＨＭＤ１０（図２参照）を装着している。座席ＳＴの背面には、スクリーンＭＣとＨＭＤ１０との相対位置に係る情報が記憶された位置特定無線タグＴＧが設けられる。ＨＭＤ１０に設けられる位置取得手段１３０に含まれる無線タグ読取装置１３４（図４参照）は、この位置特定無線タグＴＧを読み取ることで、スクリーンＭＣとＨＭＤ１０との相対位置を取得する。取得された相対位置に基づいて、サブコンテンツとしての字幕ＳＣの提示位置が決定される。具体的には、字幕ＳＣは、スクリーンＭＣの下側に隣接する位置にユーザＵＳＲに視認される様にして、ＨＭＤ１０を介してユーザに提示される。
【００３２】
［ＨＭＤ１０の構成］
図２は、ユーザＵＳＲがＨＭＤ１０を装着した状態を示す図である。ＨＭＤ１０は、ユーザＵＳＲの頭部に装着される頭部装着部１００と、ＨＭＤ１０の制御を行う制御ボックス２００と、頭部装着部１００と制御ボックス２００とを接続する信号ケーブル２５０とで構成される。頭部装着部１００には、スクリーンＭＣに対するＨＭＤ１０の相対位置を取得するために、位置取得手段１３０が設けられる。位置取得手段１３０の構成は、後述する。尚、制御ボックス２００が頭部装着部１００に含まれるようにして、両者を一体として構成しても良い。
【００３３】
図３は、頭部装着部１００の構成を示す図である。図３（ａ）は頭部装着部１００の平面図、図３（ｂ）は頭部装着部１００の正面図、図３（ｃ）は頭部装着部１００の右側面図をそれぞれ示す。
【００３４】
頭部装着部１００は、テンプル１０４Ａ，１０４Ｂと、ヨロイ１０６Ａ，１０６Ｂと、フロントフレーム１０８とにより骨格が形成される。テンプル１０４Ａ，１０４Ｂの一端には、ユーザＵＳＲの耳に当たるモダン１０２Ａ，１０２Ｂが取り付けられる。テンプル１０４Ａ，１０４Ｂの他端は、蝶番１１２Ａ，１１２Ｂを介してヨロイ１０６Ａ，１０６Ｂに連結される。ヨロイ１０６Ａ，１０６Ｂは、フロントフレーム１０８の左右両端に連結される。フロントフレーム１０８の中央には、利用者の鼻に当接する鼻パッド１１０が設けられる。テンプル１０４Ａ，１０４Ｂは、ヨロイ１０６Ａ，１０６Ｂに形成された蝶番１１２Ａ，１１２Ｂによって、フロントフレーム１０８に対して折りたたむことができる。頭部装着部１００の骨格の構成は、例えば、通常の眼鏡と同様である。頭部装着部１００は、ユーザＵＳＲに装着された状態において、モダン１０２Ａ，１０２Ｂと、鼻パッド１１０と、により利用者の顔に保持される（図２参照）。なお、図３（ｂ）において、モダン１０２Ａ，１０２Ｂ及びテンプル１０４Ａ，１０４Ｂは省略される。
【００３５】
頭部装着部１００の骨格部には、画像提示装置１１４が、ヨロイ１０６Ａ付近に配設された取付部１２２を介して取り付けられる。画像提示装置１１４は、ヨロイ１０６Ａ付近に取付部１２２を介して取り付けられた状態において、頭部装着部１００を装着したユーザＵＳＲの左眼１１８と略同一の高さとなる位置に配設される。画像提示装置１１４は、制御ボックス２００（図２参照。詳細については後述する図４参照）と、信号ケーブル２５０を介して接続される。画像提示装置１１４は、制御ボックス２００から信号ケーブル２５０を介して送信された画像信号に基づく画像光を、ハーフミラー１１６に向けて光学的に出射する。
【００３６】
画像提示装置１１４から出射された画像光１２０ａは、ハーフミラー１１６に入射する。ハーフミラー１１６で反射された画像光１２０ｂは、ユーザＵＳＲの左眼１１８に入射する。換言すれば、画像提示装置１１４は、ユーザＵＳＲの左眼１１８に画像光を入射することで、ユーザＵＳＲに画像を所定の画角で視認可能に提示する。以下、ユーザＵＳＲに提示される画像の画角、即ちユーザＵＳＲの視野に画像が提示される領域を、提示領域とも表現する。なお、画像提示装置１１４は、取得された画像信号に応じた画像光１２０ａ，１２０ｂを２次元方向に走査し、その走査された画像光１２０ａ，１２０ｂを利用者の左眼１１８に導き網膜上にコンテンツ画像を形成する網膜走査型のディスプレイを用いて構成することができる他、液晶ディスプレイ、有機ＥＬ（Ｏｒｇａｎｉｃ  Ｅｌｅｃｔｒｏ―Ｌｕｍｉｎｅｓｃｅｎｃｅ）ディスプレイその他の装置を用いた構成とすることもできる。
【００３７】
［機能ブロックの説明］
図４に、画像提示システム１の構成を示す機能ブロックを示す。画像提示システム１は、スクリーンＭＣと、ＨＭＤ１０と、サブコンテンツ記憶手段３００と、位置特定無線タグＴＧとで構成される。ＨＭＤ１０は、制御ボックス２００と、頭部装着部１００と、制御ボックス２００と頭部装着部１００とを接続する信号ケーブル２５０とで構成される。
【００３８】
制御ボックス２００は、ＣＰＵ２０２と、ＲＯＭ２０４と、ＲＡＭ２０６と、操作部２０８と、サブコンテンツ取得手段２１０と、入出力インターフェース２１２とで構成される。以下、制御ボックス２００の各構成の説明を行う。
【００３９】
ＣＰＵ２０２は、ＲＯＭ２０４と、ＲＡＭ２０６と、操作部２０８と、サブコンテンツ取得手段２１０と、入出力インターフェース２１２との間で信号の送受信を行い、各種演算，処理を行う。
【００４０】
ＲＯＭ２０４は、ＨＭＤ１０を制御する各種プログラムやパラメータを記憶する。
【００４１】
ＲＡＭ２０６は、ＣＰＵ２０２で処理される各種プログラムや、ＣＰＵ２０２が処理するデータを、そのアドレス空間に一時記憶する。具体的には、ＲＡＭ２０６は、図５（ａ）に示されるように、字幕データ２０６ａ、相対位置データ２０６ｂ、ＨＭＤ方向データ２０６ｃ、字幕表示位置データ２０６ｄ、字幕文字組データ２０６ｅ、字幕提示諸元データ２０６ｆ及びスクリーン見た目サイズデータ２０６ｇを一時記憶する。字幕データ２０６ａは、ＨＭＤ１０を介してユーザＵＳＲに提示される字幕に係るデータである。相対位置データ２０６ｂは、スクリーンＭＣに対するＨＭＤ１０の相対位置を示すデータである。ＨＭＤ方向データ２０６ｃは、ユーザＵＳＲの顔が向いている方向、即ち頭部装着部１００が向く方向を示すデータである。字幕表示位置データ２０６ｄは、字幕データ２０６ａが提示される位置、具体的には、スクリーンＭＣの上下左右の何れの方向に提示されるかを示すデータである。字幕文字組データ２０６ｅは、字幕データ２０６ａが横組みで提示されるのか縦組みで提示されるのかを示すデータである。字幕提示諸元データ２０６ｆは、字幕ＳＣが提示される座標及び画角を示すデータである。スクリーン見た目サイズデータ２０６ｇは、スクリーンＭＣに対するＨＭＤ１０の相対位置において、スクリーンＭＣの見た目のサイズを示すデータである。
【００４２】
操作部２０８は、ＨＭＤ１０を操作するための構成である。ユーザＵＳＲが操作部２０８に対して操作を行うことで、操作部２０８から操作信号がＣＰＵ２０２に対して送信される。
【００４３】
サブコンテンツ取得手段２１０は、ＣＰＵ２０２からの制御信号に従って、字幕ＳＣに係るデータを取得する。本実施形態において、サブコンテンツ取得手段２１０は、例えば無線ＬＡＮ等の無線インターフェースで構成される。即ち、サブコンテンツ取得手段２１０は、ＨＭＤ１０とは別体に設けられるサブコンテンツ記憶手段３００から、無線を介して字幕ＳＣに係るデータを取得する。取得された字幕ＳＣに係るデータは、サブコンテンツ取得手段２１０からＣＰＵ２０２に字幕信号として送信され、字幕データ２０６ａとしてＲＡＭ２０６に一時記憶される。
【００４４】
入出力インターフェース２１２は、ＣＰＵ２０２からの制御信号に従って、頭部装着部１００との間の各種データを含む信号の入出力（送受信）を制御する。入出力インターフェース２１２は、後記する入出力インターフェース１１５と、信号ケーブル２５０によって接続される。
【００４５】
頭部装着部１００は、画像提示装置１１４、入出力インターフェース１１５及び位置取得手段１３０によって構成される。以下、頭部装着部１００の各要素の説明を行う。
【００４６】
画像提示装置１１４は、前記したように、ＣＰＵ２０２からの制御信号に従って、信号ケーブル２５０を介して受信した画像信号に基づく画像光を、ユーザＵＳＲの左眼１１８に対して射出する。
【００４７】
入出力インターフェース１１５は、ＣＰＵ２０２からの制御信号に従って、制御ボックス２００との間の各種データを含む信号の入出力（送受信）を制御する。入出力インターフェース１１５は、信号ケーブル２５０を介して入出力インターフェース２１２に接続される。
【００４８】
位置取得手段１３０は、スクリーンＭＣに対するＨＭＤ１０の相対位置を取得する。位置取得手段１３０は、方向検知手段１３２と、無線タグ読取装置１３４とで構成される。
【００４９】
方向検知手段１３２は、ＣＰＵ２０２からの制御信号に従って、ＨＭＤ１０が向いている方向を検知する。方向検知手段１３２は、例えば、重力方向に対する方向を検出する重力センサ（加速度センサ）と、地磁気方向に対する方向を検出する地磁気センサとを組み合わせることで構成できる。方向検知手段１３２の検知結果は、方向信号としてＣＰＵ２０２に送信され、ＨＭＤ方向データ２０６ｃとしてＲＡＭ２０６に一時記憶される。
【００５０】
無線タグ読取装置１３４は、スクリーンＭＣに対する、ＨＭＤ１０の相対位置を取得する。具体的には、無線タグ読取装置１３４は、ＣＰＵ２０２からの制御信号に従って、ユーザＵＳＲの前席背面に設けられた位置特定無線タグＴＧを読み取る。読み取りによって得られた、スクリーンＭＣに対するＨＭＤ１０の相対位置に関する情報は、相対位置信号としてＣＰＵ２０２に送信され、相対位置データ２０６ｂとしてＲＡＭ２０６に一時記憶される。
【００５１】
再び画像提示システム１全体の説明を行う。スクリーンＭＣには、メインコンテンツとしての映画が、非図示のプロジェクタ等から投影される。スクリーンＭＣとＨＭＤ１０との間に電気的な信号の送受信は行われない。スクリーンＭＣは、ＨＭＤ１０とは別体に、光学的に映画を表示する。
【００５２】
サブコンテンツ記憶手段３００は、スクリーンＭＣに表示される映画の内容に関連付けられた、サブコンテンツとしての字幕ＳＣに係る情報を記憶する。字幕ＳＣに係る情報としては、少なくとも、ＨＭＤ１０によってユーザＵＳＲに提示される文字情報と、その文字情報の表示タイミングを決定する情報とが含まれる。サブコンテンツ記憶手段３００は、無線を介してサブコンテンツ取得手段２１０に接続される。サブコンテンツ記憶手段３００は、ＨＭＤ１０からの要求に応じた字幕データをサブコンテンツ取得手段２１０に送信する。即ち、画像提示システム１において、サブコンテンツ記憶手段３００はサーバとして働き、ＨＭＤ１０はクライアントとして働く。ユーザＵＳＲは、例えば操作部２０８を操作することで字幕ＳＣに関する属性（言語の種類等）を選択し、サブコンテンツ記憶手段３００は、選択された属性に応じた字幕ＳＣに関するデータを、サブコンテンツ取得手段２１０に対して送信する。
【００５３】
位置特定無線タグＴＧは、スクリーンＭＣに対するＨＭＤ１０の相対位置に関する情報を記憶する。具体的には、位置特定無線タグＴＧは、図５（ｂ）に示される様に、スクリーン距離Ａと、スクリーン縦幅Ｂと、スクリーン上下位置Ｃと、スクリーン横幅Ｄと、スクリーン左右位置Ｅとを記憶する（詳細は後記する図８を参照）。スクリーン距離Ａは、ＨＭＤ１０からスクリーンＭＣまでの距離を表す。スクリーン縦幅Ｂは、スクリーンＭＣの縦幅（上下方向の幅）を表す。スクリーン上下位置Ｃは、ＨＭＤ１０に対するスクリーンＭＣの上下方向の位置を表す。スクリーン横幅Ｄは、スクリーンＭＣの横幅（左右方向の幅）を表す。スクリーン左右位置Ｅは、ＨＭＤ１０に対するスクリーンＭＣの左右方向の位置を表す。位置特定無線タグＴＧは、無線タグ読取装置１３４からの電波をエネルギー源として動作する、所謂パッシブタグである。本実施形態において、無線タグ読取装置１３４と位置特定無線タグＴＧとの通信には、極超短波帯の電磁波であるＵＨＦ（ＵｌｔｒａＨｉｇｈ Ｆｒｅｑｕｅｎｃｙ）が用いられる。
【００５４】
[制御ボックス２００によって実行される処理]
図６に、制御ボックス２００によって実行される処理のフローチャートを示す。なお、この処理は、電源がＯＮにされたＨＭＤ１０において、ＣＰＵ２０２が、ユーザＵＳＲによって処理を開始する旨の操作がなされた操作部２０８からの操作信号を取得することを条件として、開始される。詳細には、ＣＰＵ２０２は、前記操作信号の取得を条件として、ＲＯＭ２０４に記憶された所定のプログラムをＲＡＭ２０６上で実行し、この処理を開始する。
【００５５】
ステップＳ１において、ＣＰＵ２０２は、スクリーンＭＣに対する、ＨＭＤ１０の相対位置を取得する。具体的には、ＣＰＵ２０２は、無線タグ読取装置１３４に制御信号を送信することで、無線タグ読取装置１３４に位置特定無線タグＴＧを読み取らせる。無線タグ読取装置１３４によって読み取られた情報（図５（ｂ）参照）は、相対位置信号としてＣＰＵ２０２に送信された後に、相対位置データ２０６ｂとしてＲＡＭ２０６に一時記憶される。その後、ＣＰＵ２０２は、処理をステップＳ２に移行する。
【００５６】
ステップＳ２において、ＣＰＵ２０２は、ＨＭＤ１０を介してユーザＵＳＲに提示される字幕ＳＣに係るデータを取得する。具体的には、ＣＰＵ２０２は、サブコンテンツ取得手段２１０に制御信号を送信することによって、サブコンテンツ取得手段２１０に字幕ＳＣに係るデータを取得させる。サブコンテンツ取得手段２１０は、無線を介してサブコンテンツ記憶手段３００から字幕ＳＣに係るデータを取得する。取得された字幕ＳＣに係るデータは、ＣＰＵ２０２に送信された後に、字幕データ２０６ａとしてＲＡＭ２０６に一時記憶される。その後、ＣＰＵ２０２は、処理をステップＳ３に移行する。
【００５７】
ステップＳ３において、ＣＰＵ２０２は、ＨＭＤ１０によってユーザ１０に提示される字幕ＳＣの提示位置を、スクリーンＭＣの上側の近傍、詳細にはスクリーンＭＣの上側に隣接する位置、に決定する。具体的には、ＣＰＵ２０２は、ＲＡＭ２０６に一時記憶されている字幕提示位置データ２０６ｄを、スクリーンＭＣの上側に隣接する位置に字幕ＳＣが提示されるように更新する。その後、ＣＰＵ２０２は、処理をステップＳ４に移行する。
【００５８】
ステップＳ４において、ＣＰＵ２０２は、ＨＭＤ１０によってユーザ１０に提示される字幕ＳＣの提示方向を、横方向に決定する。具体的には、ＣＰＵ２０２は、ＲＡＭ２０６に一時記憶されている字幕文字組データ２０６ｅを、字幕ＳＣが横方向に提示されるように更新する。その後、ＣＰＵ２０２は、処理をステップＳ５に移行する。
【００５９】
ステップＳ５において、ＣＰＵ２０２は、ユーザＵＳＲに字幕ＳＣを提示するための、サブコンテンツ提示処理を行う。以下、このサブコンテンツ提示処理を示した図７を用いて、説明を行う。
【００６０】
ステップＳＡ１において、ＣＰＵ２０２は、相対位置データ２０６ｂ、字幕提示位置データ２０６ｄ及び字幕文字組データ２０６ｅに基づいて、字幕ＳＣの提示座標を決定する。以下、図８を用いてステップＳＡ１の処理を説明する。
【００６１】
図８は、字幕ＳＣの提示座標を決定する方法を説明する図である。尚、図８の説明に用いられる左，右は、ユーザＵＳＲから見た場合の左，右に一致する。先ず、図８（ａ）を用いて、上下方向の提示座標を決定する方法を説明する。ユーザＵＳＲがスクリーンＭＣの中心に視線を向けていれば、画像がユーザＵＳＲに提示される領域である提示領域の中心と、スクリーンＭＣの中心とが一致する。今、ＨＭＤ１０の上下方向の位置（ユーザＵＳＲの視線の高さ）から、スクリーンＭＣの上端までの角度を角度φ１と、スクリーンＭＣの下端までの角度を角度φ２と、スクリーンＭＣの中心までの角度を角度φ３と、それぞれ表現する。角度φ１、角度φ２及び角度φ３は、ＲＡＭ２０６に一時記憶された相対位置データ２０６ｂに含まれる、スクリーン距離Ａ、スクリーン縦幅Ｂ及びスクリーン上下位置Ｃを用いて、以下の［数１］の様に導出される。
【００６２】
【数１】
2010237522.tif 000003
【００６３】
スクリーンＭＣの中心から上端までの角度を角度θ１、中心から下端までの角度を角度θ２と表記する。角度θ１及び角度θ２は、角度φ１、角度φ２及び角度φ３を用いて、以下の［数２］の様に導出される。
【００６４】
【数２】
2010237522.tif 000004
【００６５】
次に、図８（ｂ）を用いて、左右方向の提示座標を決定する方法を説明する。ＨＭＤ１０の左右方向の位置から、スクリーンＭＣの右端までの角度を角度φ４と、スクリーンＭＣの左端までの角度を角度φ５と、スクリーンＭＣの中心までの角度を角度φ６と、それぞれ表現する。角度φ４、角度φ５及び角度φ６は、ＲＡＭ２０６に一時記憶された相対位置データ２０６ｂに含まれる、スクリーン距離Ａ、スクリーン横幅Ｄ及びスクリーン左右位置Ｅを用いて、以下の［数３］の様に導出される。
【００６６】
【数３】
2010237522.tif 000005
【００６７】
スクリーンＭＣの中心から右端までの角度を角度θ３、中心から左端までの角度を角度θ４と表記する。角度θ３及び角度θ４は、角度φ４、角度φ５及び角度φ６を用いて、以下の［数４］の様に導出される。
【００６８】
【数４】
2010237522.tif 000006
【００６９】
［数１］〜［数４］によって導出された角度θ１〜θ４を用いて、ＲＡＭ２０６に一時記憶される字幕提示位置データ２０６ｄに応じて、スクリーンＭＣに隣接する位置に字幕ＳＣを提示することができる。具体的には、字幕提示位置データ２０６ｄに字幕ＳＣがスクリーンＭＣの上側に表示される旨のデータが一時記憶されている場合は、（１）字幕ＳＣの左右方向の中心は提示領域の中心に一致、（２）字幕ＳＣの下端が提示領域の中心からθ１だけ上側に位置、するように、字幕ＳＣがユーザＵＳＲに提示される。また、字幕提示位置データ２０６ｄに字幕ＳＣがスクリーンＭＣの下側に表示される旨のデータが一時記憶されている場合は、（１）字幕ＳＣの左右方向の中心は提示領域の中心に一致、（２）字幕ＳＣの上端が提示領域の中心からθ２だけ下側に位置、するように、字幕ＳＣがユーザＵＳＲに提示される。字幕提示位置データ２０６ｄに字幕ＳＣがスクリーンＭＣの右側に表示される旨のデータが一時記憶されている場合は、（１）字幕ＳＣの左端が提示領域の中心からθ３だけ右側に位置、（２）字幕ＳＣの上下方向の中心が提示領域の中心に一致、するように、字幕ＳＣがユーザＵＳＲに提示される。そして、字幕提示位置データ２０６ｄに字幕ＳＣがスクリーンＭＣの左側に表示される旨のデータが一時記憶されている場合は、（１）字幕ＳＣの右端が提示領域の中心からθ４だけ左側に位置、（２）字幕ＳＣの上下方向の中心が提示領域の中心に一致、するように、字幕ＳＣがユーザＵＳＲに提示される。
【００７０】
図８を用いて説明した処理を行うことで、ＣＰＵ２０２は、字幕ＳＣの提示座標を決定する。決定された字幕ＳＣの提示座標は、字幕提示諸元データ２０６ｆの一部として、ＲＡＭ２０６に一時記憶される。また、角度θ１〜θ４も、スクリーン見た目サイズデータ２０６ｇとしてＲＡＭ２０６に一時記憶される。その後、ＣＰＵ２０２は、処理をステップＳＡ２に移行する。
【００７１】
ステップＳＡ２において、ＣＰＵ２０２は、字幕ＳＣの提示画角を決定する。具体的には、ＣＰＵ２０２は、スクリーン見た目サイズデータ２０６ｆに基づいて、字幕ＳＣがスクリーンＭＣの見た目のサイズ以下の画角で提示される様に、字幕ＳＣの提示画角を決定する。即ち、字幕ＳＣがスクリーンＭＣの上側又は下側に提示される場合、字幕ＳＣの左右方向の画角は、「θ３＋θ４」以下になる様に決定される。また、字幕ＳＣがスクリーンＭＣの右側又は左側に提示される場合、字幕ＳＣの上下方向の画角は、「θ１＋θ２」以下になる様に決定される。決定された字幕ＳＣの提示画角は、字幕提示諸元データ２０６ｆの一部として、ＲＡＭ２０６に一時記憶される。その後、ＣＰＵ２０２は、処理をステップＳＡ３に移行する。
【００７２】
ステップＳＡ３において、ＣＰＵ２０２は、ＨＭＤ１０が向いている方向を検知する。具体的には、ＣＰＵ２０２は、方向検知手段１３２に制御信号を送信することで、方向検知手段１３２にＨＭＤ１０が向いている方向を検知させる。方向検知手段１３２の検知結果は、方向信号としてＣＰＵ２０２に送信された後に、ＨＭＤ方向データ２０６ｃとしてＲＡＭ２０６に一時記憶される。その後、ＣＰＵ２０２は、処理をステップＳＡ４に移行する。
【００７３】
前記したステップＳＡ１において、決定された字幕ＳＣの提示座標は、ユーザＵＳＲがスクリーンＭＣの中心に視点を向けることを前提として決定された。通常、ユーザＵＳＲがスクリーンＭＣを見ている場合、ユーザＵＳＲはスクリーンＭＣの中心に視点を向ける。しかし、ユーザＵＳＲが頭を左右に微動する等の動作を行った場合、字幕ＳＣがスクリーンＭＣに隣接する位置からずれる。そこで、字幕ＳＣが常にスクリーンＭＣに隣接する位置に提示されるために、ステップＳＡ４において、ＣＰＵ２０２は、字幕提示諸元データ２０６ｆ及びＨＭＤ方向データ２０６ｃに基づいて、ユーザＵＳＲに字幕ＳＣを提示する。具体的には、ＣＰＵ２０２は、画像提示装置１１４に制御信号を送信することで、画像提示装置１１４にユーザＵＳＲに画像を所定の画角で視認可能に提示させる。このとき、ＣＰＵ２０２は、ＨＭＤ方向データ２０６ｃに基づいて、スクリーンＭＣの中心とＨＭＤ１０の向いている方向（ユーザＵＳＲの視線方向）とのズレが補正されるように、字幕提示諸元データ２０６ｆに含まれる字幕ＳＣの提示座標を補正する。この補正によって、字幕ＳＣが常にスクリーンＭＣに隣接する位置に提示される。その後、ＣＰＵ２０２は、サブコンテンツ提示処理を終了し、処理を図６のステップＳ６に移行する。
【００７４】
ステップＳ６において、ＣＰＵ２０２は、字幕ＳＣの提示位置の変更が行われたか否かを判断する。具体的には、ＣＰＵ２０２は、字幕ＳＣの提示位置の変更を行う旨の操作信号を操作部２０８から受信することで、ステップＳ６における判断を行う。ステップＳ６の判断が肯定（Ｙ）の場合、ＣＰＵ２０２は、処理をステップＳ７に移行する。一方、ステップＳ６の判断が否定（Ｎ）の場合、ＣＰＵ２０２は、処理をステップＳ１４に移行する。
【００７５】
ステップＳ７において、ＣＰＵ２０２は、操作部２０８から送信された操作信号が、字幕ＳＣの提示位置をスクリーンＭＣの下側に変更する旨の操作信号であるか否かを判断する。ステップＳ７の判断が肯定（Ｙ）の場合、ＣＰＵ２０２は、処理をステップＳ８に移行する。一方、ステップＳ７の判断が否定（Ｎ）の場合、ＣＰＵ２０２は、処理をステップＳ９に移行する。
【００７６】
ステップＳ８において、ＣＰＵ２０２は、ＨＭＤ１０によってユーザＵＳＲに提示される字幕ＳＣの提示位置を、スクリーンＭＣの下側の近傍、詳細にはスクリーンＭＣの下側に隣接する位置に決定する。具体的には、ＣＰＵ２０２は、ＲＡＭ２０６に一時記憶されている字幕提示位置データ２０６ｄを、スクリーンＭＣの下側に隣接する位置に字幕ＳＣが提示されるように更新する。その後、ＣＰＵ２０２は、処理をステップＳ４に戻す。
【００７７】
ステップＳ９において、ＣＰＵ２０２は、操作部２０８から送信された操作信号が、字幕ＳＣの提示位置をスクリーンＭＣの上側に変更する旨の操作信号であるか否かを判断する。ステップＳ９の判断が肯定（Ｙ）の場合、ＣＰＵ２０２は、処理をステップＳ３に戻す。一方、ステップＳ９の判断が否定（Ｎ）の場合、ＣＰＵ２０２は、処理をステップＳ１０に移行する。
【００７８】
ステップＳ１０において、ＣＰＵ２０２は、操作部２０８から送信された操作信号が、字幕ＳＣの提示位置をスクリーンＭＣの右側に変更する旨の操作信号であるか否かを判断する。ステップＳ１０の判断が肯定（Ｙ）の場合、ＣＰＵ２０２は、処理をステップＳ１１に移行する。一方、ステップＳ１０の判断が否定（Ｎ）の場合、ＣＰＵ２０２は、処理をステップＳ１２に移行する。
【００７９】
ステップＳ１１において、ＣＰＵ２０２は、ＨＭＤ１０によってユーザＵＳＲに提示される字幕ＳＣの提示位置を、スクリーンＭＣの右側の近傍、詳細にはスクリーンＭＣの右側に隣接する位置に決定する。具体的には、ＣＰＵ２０２は、ＲＡＭ２０６に一時記憶されている字幕提示位置データ２０６ｄを、スクリーンＭＣの右側に隣接する位置に字幕ＳＣが提示されるように更新する。その後、ＣＰＵ２０２は、処理をステップＳ１３に移行する。
【００８０】
ステップＳ１２において、ＣＰＵ２０２は、ＨＭＤ１０によってユーザＵＳＲに提示される字幕ＳＣの提示位置を、スクリーンＭＣの左側の近傍、詳細にはスクリーンＭＣの左側に隣接する位置に決定する。具体的には、ＣＰＵ２０２は、ＲＡＭ２０６に一時記憶されている字幕提示位置データ２０６ｄを、スクリーンＭＣの左側に隣接する位置に字幕ＳＣが提示されるように更新する。その後、ＣＰＵ２０２は、処理をステップＳ１３に移行する。
【００８１】
ステップＳ１３において、ＣＰＵ２０２は、ＨＭＤ１０によってユーザ１０に提示される字幕ＳＣの提示方向を、縦方向に決定する。具体的には、ＣＰＵ２０２は、ＲＡＭ２０６に一時記憶されている字幕文字組データ２０６ｅを、字幕ＳＣが縦方向に提示されるように更新する。その後、ＣＰＵ２０２は、処理をステップＳ１４に移行する。
【００８２】
ステップＳ１４において、ＣＰＵ２０２は、字幕ＳＣの提示を終了するか否かを判断する。具体的には、ＣＰＵ２０２は、字幕ＳＣの提示を終了する旨の操作信号を操作部２０８から受信することで、ステップＳ１４における判断を行う。ステップＳ１４の判断が肯定（Ｙ）の場合、ＣＰＵ２０２は、一連の処理を終了する。一方、ステップＳ１４の判断が否定（Ｎ）の場合、ＣＰＵ２０２は、処理をステップＳ５に戻す。
【００８３】
＜第２の実施形態＞
［機能ブロックの説明］
図９は、画像提示システム２の構成を示す機能ブロックを示す。本実施形態における画像提示システム２と、前記した第１の実施形態における画像提示システム１との差異は、（１）ＨＭＤ２０の構成、（２）位置特定無線タグＴＧが設けられない、の２点である。また、本実施形態におけるＨＭＤ２０と、前記した第１の実施形態におけるＨＭＤ１０との差異は、（１）サブコンテンツ取得手段２１０の代わりにサブコンテンツ記憶手段３１０が制御ボックス２２０に含まれる、（２）無線タグ読取装置１３４の代わりにＣＣＤカメラ２３４が位置取得手段２３０に含まれる、の２点である。第１の実施形態と同一の構成要素は、同一の番号を付すことで説明を省略する。
【００８４】
制御ボックス２２０に含まれるサブコンテンツ記憶手段３１０は、第１の実施形態におけるサブコンテンツ記憶手段３００と同様に、字幕ＳＣに係る情報を記憶する。サブコンテンツ記憶手段３１０は、ＣＰＵ２０２からの制御信号に応じて、字幕ＳＣに係る情報を字幕信号としてＣＰＵ２０２に送信する。ＣＰＵ２０２に送信された字幕信号は、字幕データ２０６ａとしてＲＡＭ２０６に一時記憶される。尚、サブコンテンツ記憶手段３１０は、ハードディスクやフラッシュＲＯＭ等の書き換え可能な不揮発記憶媒体によって構成できる。
【００８５】
ＣＣＤカメラ２３４は、ＣＰＵ２０２からの制御信号に従って、スクリーンＭＣを撮像する。スクリーンＭＣを撮像することによって発生した撮像画像は、ＣＰＵ２０２に撮像信号として送信された後に、ＲＡＭ２０６に撮像データとして一時記憶される。ＣＣＤカメラ２３４を含む位置取得手段２３０は、ＨＭＤ２０が向いている方向とＣＣＤカメラの視野中心の方向とが一致するようにして、画像提示装置１１４の上面に設けられる。
【００８６】
[制御ボックス２２０によって実行される処理]
本実施形態において制御ボックス２２０によって実行される処理は、図６及び図７に示される第１の実施形態における処理と同様である。但し、本実施形態においては、ステップＳ１及びステップＳ２において行われる処理が、第１の実施形態におけるステップＳ１及びステップＳ２と異なる。ここでは、本実施形態においてステップＳ１及びステップＳ２で行われる処理の説明のみを行う。
【００８７】
ステップＳ１において、ＣＰＵ２０２は、スクリーンＭＣに対する、ＨＭＤ２０の相対位置を取得する。具体的には、ＣＰＵ２０２は、ＣＣＤカメラ２３４に対して制御信号を送信することで、ＣＣＤカメラ２３４にスクリーンＭＣを撮像させる。ＣＣＤカメラ２３４はＣＰＵ２０２に撮像信号を送信し、ＣＰＵ２０２は受信した撮像信号をＲＡＭ２０６に撮像データとして一時記憶する。ＣＰＵ２０２は、ＲＡＭ２０６に一時記憶された撮像データから、スクリーンＭＣの輪郭を決定する。映画館であればスクリーンＭＣは周囲に比べて明るいので、撮像データにおいて輝度が急激に高くなる領域を検知することで、スクリーンＭＣの輪郭が決定できる。スクリーンＭＣの輪郭は大きさの決まった四角形なので、ＣＰＵ２０２は、スクリーンＭＣの輪郭の形状に基づいて、スクリーンＭＣに対するＨＭＤ２０の相対位置を決定する。決定された相対位置は、相対位置データ２０６ｂとしてＲＡＭ２０６に一時記憶される。その後、ＣＰＵ２０２は、処理をステップＳ２に移行する。
【００８８】
ステップＳ２において、ＣＰＵ２０２は、ＨＭＤ２０を介してユーザＵＳＲに提示される字幕ＳＣに係るデータを取得する。具体的には、ＣＰＵ２０２は、サブコンテンツ記憶手段３１０に制御信号を送信することによって、サブコンテンツ記憶手段３１０に記憶された字幕ＳＣに係るデータを取得する。サブコンテンツ記憶手段３１０は字幕ＳＣに係るデータをＣＰＵ２０２に送信し、ＣＰＵ２０２は受信した字幕ＳＣに係るデータを字幕データ２０６ａとしてＲＡＭ２０６に一時記憶する。その後、ＣＰＵ２０２は、処理をステップＳ３に移行する。
【００８９】
ステップＳ３〜ステップＳ１４で行われる処理は、図６及び図７に示される第１の実施形態における処理と同様であるので、ここでは説明を省略する。
【００９０】
本発明は、今までに述べた実施形態に限定されることは無く、その趣旨を逸脱しない範囲において種々の変形・変更が可能である。以下にその変形の一例を述べる。
【００９１】
＜変形例＞
前記した実施形態において、ハーフミラー１１６を用いたシースルー型のヘッドマウントディスプレイが利用される。しかし、例えばカメラでユーザＵＳＲの視線方向の外界を撮像し、その撮像画像に字幕ＳＣを重畳する様な、所謂ビデオシースルー型のヘッドマウントディスプレイが利用されても良い。
【００９２】
前記した実施形態において、メインコンテンツ表示手段として、映画が投影されるスクリーンＭＣが示された。しかし、例えば大型のディスプレイなどがメインコンテンツ表示手段として用いられても良い。要は、ＨＭＤと別体に構成され、メインコンテンツを実像として表示する表示手段であれば、どの様なものであっても良い。
【００９３】
前記した実施形態において、字幕ＳＣは、スクリーンＭＣの上側，下側，右側，左側の何れかに隣接する位置に表示された。より詳細には、字幕ＳＣがスクリーンＭＣに隣接する位置に提示される際に、字幕ＳＣの端とスクリーンＭＣの端とが接するとして説明された（図７のステップＳＡ１参照）。しかし、字幕ＳＣが提示される位置は、スクリーンＭＣに隣接する位置に限定されず、スクリーンＭＣの近傍であれば良い。例えば、字幕ＳＣの端とスクリーンＭＣの端とが所定角度（例えば５〜１０°程度）離れていても、近傍に含まれる。
【符号の説明】
【００９４】
１，２  画像提示システム
１０，２０  ＨＭＤ
１００  頭部装着部
１０２Ａ，１０２Ｂ  モダン
１０４Ａ，１０４Ｂ  テンプル
１０６Ａ，１０６Ｂ  ヨロイ
１１２Ａ，１１２Ｂ  蝶番
１１０  鼻パッド
１１４  画像提示装置
１１５，２１２  入出力インターフェース
１３０，２３０  位置取得手段
１３２  方向検知手段
１３４  無線タグ読取装置
２００，２２０  制御ボックス
２０２  ＣＰＵ
２０４  ＲＯＭ
２０６  ＲＡＭ
２０８  操作部
２１０  サブコンテンツ取得手段
２３４  ＣＣＤカメラ
２５０  信号ケーブル
３００，３１０  サブコンテンツ記憶手段
ＭＣ  スクリーン
ＳＣ  字幕
ＳＴ  座席
ＴＧ  位置特定無線タグ
【図１】
2010237522.tif 000007
【図２】
2010237522.tif 000008
【図３】
2010237522.tif 000009
【図４】
2010237522.tif 000010
【図５】
2010237522.tif 000011
【図６】
2010237522.tif 000012
【図７】
2010237522.tif 000013
【図８】
2010237522.tif 000014
【図９】
2010237522.tif 000015